(57)【要約】      （修正有）【課題】  放熱板を用いることなく、光ピックアップのレーザーダイオードからの発熱を効率よく放熱でき、その記録パワーの低下を防ぐことができ、記録品質の改善を図ることができ、しかも構造を簡単化できる光ピックアップの放熱構造を提供する。【解決手段】  レンズ１とレーザーダイオード２を搭載した光ピックアップ３を主軸４と副軸５で支持するようにし、レーザーダイオード２から発生する発熱を外部に放熱するようにした光ピックアップの放熱構造において、副軸５が内側向きに凹んだ断面略円弧状に形成され、更に、レーザーダイオード２が副軸５に寄った位置に配置されていて、レーザーダイオード２の発熱を断面略円弧状の副軸５から外部に放熱するように構成した。【選択図】図１
2006031738.tif 000002
【特許請求の範囲】
【請求項１】
レンズとレーザーダイオードを搭載した光ピックアップを主軸と副軸で支持するようにし、前記レーザーダイオードから発生する発熱を外部に放熱するようにした光ピックアップの放熱構造において、前記副軸が内側向きに凹んだ断面略円弧状に形成され、更に、前記レーザーダイオードが前記副軸に寄った位置に配置されていて、前記レーザーダイオードの発熱を前記断面略円弧状の副軸から外部に放熱するように構成したことを特徴とする光ピックアップの放熱構造。
【請求項２】
レンズとレーザーダイオードを搭載した光ピックアップを主軸と副軸で支持するようにし、前記レーザーダイオードから発生する発熱を外部に放熱するようにした光ピックアップの放熱構造において、前記副軸を放熱し易い形状に形成し、前記レーザーダイオードからの発熱をこの副軸から外部に放熱するように構成したことを特徴とする光ピックアップの放熱構造。
【請求項３】
前記副軸は、内向きに凹んだ断面略円弧状に形成され、この副軸の凹み部分に軸方向に向けて複数条の放熱羽根を列設した請求項２に記載の光ピックアップの放熱構造。
【発明の詳細な説明】
【技術分野】
【０００１】
本発明は、レンズとレーザーダイオードを搭載した光ピックアップを主軸と副軸で支持するようにし、レーザーダイオードから発生する発熱を外部に放熱するようにした光ピックアップの放熱構造に関するものである。
【背景技術】
【０００２】
一般に、ＤＶＤレコーダー等において、光ピックアップにおける記録パワー即ちディスクに記録させていくときのパワーやディスクに書き込むときのパワーが目的したようにならない原因として、レーザーダイオードの温度が高くなっていることが考えられる。
【０００３】
第１の従来技術を図３に示す。この図３に示す従来の光学デッキ装置は、ハウジング１０１に設けたガイド軸１０３と、このガイド軸１０３に移動自在に設けた光ピックアップ１０２と、この光ピックアップ１０２に搭載した発光素子を外面側に取付けたコの字形状の放熱板１０５を位置決め配置した。（例えば、特許文献１参照）。
【０００４】
ところが、これは、放熱板１０５を用いたものであり、構造が複雑で部品点数が多いという問題があった。
【０００５】
また、従来の光学式ピックアップ装置としては、例えば、光学記録媒体駆動装置に主軸及び副軸を介して樹脂製ベースを摺動自在に取り付け、このベースにホルダを介してレーザダイオードを取り付けた。また、ベースに放熱板にホルダを当接させ、主軸及び副軸がそれぞれ遊挿される主軸受及び副軸受の少なくとも一方を放熱板に固定することにより、レーザダイオードから主軸及び／又は副軸に至る連続した熱伝達径路を設けた。              
【０００６】
（例えば、特許文献２参照）。
【０００７】
ところが、これにおいても、放熱板を用いたものであり、構造が複雑で部品点数が多いという問題があった。
【特許文献１】特開平８−３３５３２８号公報
【特許文献２】特開２００２−３２９２３号公報
【発明の開示】
【発明が解決しようとする課題】
【０００８】
本発明は、上記従来の問題に鑑みてなされたものであって、放熱板を用いることなく、光ピックアップのレーザーダイオードからの発熱を効率よく放熱でき、その記録パワーの低下を防ぐことができ、記録品質の改善を図ることができ、しかも構造を簡単化できる光ピックアップの放熱構造を提供することを目的としている。
【課題を解決するための手段】
【０００９】
本発明は、上記課題を解決するために提案されたものであって、請求項１に記載の発明は、レンズとレーザーダイオードを搭載した光ピックアップを主軸と副軸で支持するようにし、前記レーザーダイオードから発生する発熱を外部に放熱するようにした光ピックアップの放熱構造において、前記副軸が内側向きに凹んだ断面略円弧状に形成され、更に、前記レーザーダイオードが前記副軸に寄った位置に配置されていて、前記レーザーダイオードの発熱を前記断面略円弧状の副軸から外部に放熱するように構成したことを特徴としている。
【００１０】
請求項２に記載の発明は、レンズとレーザーダイオードを搭載した光ピックアップを主軸と副軸で支持するようにし、前記レーザーダイオードから発生する発熱を外部に放熱するようにした光ピックアップの放熱構造において、前記副軸を放熱し易い形状に形成し、前記レーザーダイオードからの発熱をこの副軸から外部に放熱するように構成したことを特徴としている。
【００１１】
請求項３に記載の発明は、前記副軸は、内向きに凹んだ断面略円弧状に形成され、この副軸の凹み部分に軸方向に向けて複数条の放熱羽根を列設した。
【発明の効果】
【００１２】
請求項１に記載の発明によれば、レーザーダイオードからの発熱を、内側に凹んだ断面略円弧状の副軸から外部に効率よく放熱することができ、その記録パワーの低下を防ぐことができ、記録品質の改善を図ることができ、しかも放熱板を必要とせずに構造を簡単化できる。
【００１３】
請求項２に記載の発明によれば、放熱し易い形状の副軸から、レーザーダイオードからの発熱を効率よく放熱することができ、その記録パワーの低下を防ぐことができ、記録品質の改善を図ることができ、しかも放熱板を必要とせずに構造を簡単化できる。
【００１４】
請求項３に記載の発明によれば、内向きに凹んだ断面略円弧状の副軸の内向きの凹み部分に複数条列設した放熱羽根によって、レーザーダイオードからの発熱を一層効率よく放熱することができる。
【発明を実施するための最良の形態】
【００１５】
以下、本発明に係る光ピックアップの放熱構造の実施の形態について、図を参照しつつ説明する。
【００１６】
図１は本発明の実施形態の光ピックアップの放熱構造を示し、（ａ）はその側面断面図、（ｂ）はその平面図である。
【００１７】
本実施形態の光ピックアップの放熱構造は、レンズ１とレーザーダイオード２を搭載した光ピックアップ３が主軸４と副軸５とで支持されている。副軸５は内向きに凹んだ断面略円弧状に形成されて、光ピックアップ３の側面の凹所３ａに入り込んでいる。更に、レーザーダイオード２が副軸５に寄った位置に配置されている。
【００１８】
従って、本実施形態によれば、レーザーダイオード２からの発熱を、内側に凹んだ断面略円弧状の副軸５から外部に効率よく放熱することができ、その記録パワーの低下を防ぐことができ、記録品質の改善を図ることができ、しかも放熱板を必要とせずに構造を簡単化できる。ここで、記録パワーとは、ディスクに記録させていくときのパワーやディスクに書き込むときのパワーのことである。
【００１９】
図２は同構造における副軸の他の例を示す斜視図である。
【００２０】
この例では、図２に示すように、内向きに凹んだ断面略円弧状の副軸５の凹み部分５ａに軸方向に向けて複数条の放熱羽根６が列設されている。従って、内向きに凹んだ断面略円弧状の副軸５の内向きの凹み部分５ａに複数条列設した放熱羽根６によって、レーザーダイオード２からの発熱を一層効率よく放熱することができる。
【図面の簡単な説明】
【００２１】
【図１】本発明の実施形態の光ピックアップの放熱構造を示し、（ａ）はその側面断面図、（ｂ）はその平面図である。
【図２】同構造における副軸の他の例を示す斜視図である。
【図３】従来の光学デッキ装置の平面図である。
【符号の説明】
【００２２】
１        レンズ
２        レーザーダイオード
３        光ピックアップ
３ａ      凹所
４        主軸
５        副軸
５ａ      凹み部分
６        放熱羽根
【図１】
2006031738.tif 000003
【図２】
2006031738.tif 000004
【図３】
2006031738.tif 000005